(57)【要約】  【課題】ステップや機械上面等の足場となる基板において、十分な滑り止め効果及び耐久性を有し、且つ、作業者が手やひざをついても怪我をすることがない安全性に優れた滑り止め構造を提供する。  【解決手段】ステップや機械上面等の足場となる基板３０に多数の凸部２１を有するゴムシート２０を設けてなる建設機械の滑り止め構造であって、前記ゴムシート２０は段付きワッシャー２２を介してボルト２３にて基板３０に固定される。【選択図】図４
2006183302.tif 000002
【特許請求の範囲】
【請求項１】
ステップや機械上面等の足場となる基板に多数の凸部を有するゴムシートを設けてなる建設機械の滑り止め構造であって、
前記ゴムシートは段付きワッシャーを介してボルトにて基板に固定されたことを特徴とする建設機械の滑り止め構造。
【請求項２】
上記ゴムシートには止め孔を開穿し、上記基板には該止め孔に対応する位置にボルト挿通孔若しくはネジ孔を設け、上記段付きワッシャーの段部を前記止め孔に嵌挿するとともに、該段付きワッシャーにボルトを挿通して前記ゴムシートが基板に固定された請求項１記載の建設機械の滑り止め構造。
【請求項３】
上記段付きワッシャーは、上記止め孔に嵌挿される円筒形の段部と、該段部の上部に一体に設けられ且つ前記止め孔よりも大径の鍔部と、ボルト挿通用の孔部とからなる請求項１または２記載の建設機械の滑り止め構造。
【発明の詳細な説明】
【技術分野】
【０００１】
本発明は建設機械の滑り止め構造に関するものであり、特に、油圧ショベル等の建設機械のステップや機械上面等の足場に設置される滑り止め構造に関するものである。
【背景技術】
【０００２】
一般に油圧ショベル等の建設機械では、作業者が運転席に乗降するために、或いは、エンジンや油圧機器のメンテナンスを行うために、機体にステップが設けられている。また、メンテナンスの際に作業者が機械の上面に乗るような場合もある。しかし、前記ステップや機械上面は鋼板にて形成されているため、作業者が前記ステップや機械上面等の足場となる基板に乗降或いは歩行するとき、足を滑らせる危険性を有している。
【０００３】
前記ステップや機械上面等の足場となる基板の滑り止めとして、上板と下板とが上板端部においてヘム加工により接続し、上板と下板との間に所定の間隙を有したボックス構造に形成したカバーが知られている。上板は端部以外はへこみを有し且つその面上にへこみの深さと等しい高さの凸部が複数設けられている。下板はその幅方向に沿って複数列のビードが形成されているため、前記凸部によって滑り止めの効果を呈するものである（例えば、特許文献１参照）。
【０００４】
また、前記ステップや機械上面等の足場となる基板に複数のバーリング孔を穿設し、該バーリング孔の周縁フランジを突起部として滑り止め効果を呈する構成も知られている（例えば、特許文献２参照）。
【特許文献１】特開平９−３０２７２３号公報
【特許文献２】特開２００１−２６２６１９号公報
【発明の開示】
【発明が解決しようとする課題】
【０００５】
特許文献１及び特許文献２記載の発明は、何れも凸部や突起部が作業者の靴底に噛み合い係合するため、十分な滑り止め効果を発揮することができる。しかし、足場となる鋼板製の基板に鋭利な突起部を設けた構造であるため、作業者がステップや機械上面で手やひざ等を付いたときに、前記突起部によって怪我をする危険性があり、作業者の安全が十分に確保できないという問題があった。
【０００６】
この危険性を回避するために、足場となる基板へノンスリップテープ（紙やすり状の感触を有するテープ）やゴムシートを両面テープや接着剤で貼着する構成も考えられるが、
油等が付着すると前記テープやゴムシートが剥離し易いという欠点がある。
【０００７】
そこで、ステップや機械上面等の足場となる基板において、十分な滑り止め効果及び耐久性を有し、且つ、作業者が手やひざをついても怪我をすることがない安全性に優れた滑り止め構造を提供するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、ステップや機械上面等の足場となる基板に多数の凸部を有するゴムシートを設けてなる建設機械の滑り止め構造であって、前記ゴムシートは段付きワッシャーを介してボルトにて基板に固定された建設機械の滑り止め構造を提供する。
【０００９】
この構成によれば、ステップや機械上面等の足場となる基板に設けられたゴムシートは、両面テープや接着剤で貼着するのではなく、段付きワッシャーを介してボルトにて基板へ確実に固定される。
【００１０】
請求項２記載の発明は、上記ゴムシートには止め孔を開穿し、上記基板には該止め孔に対応する位置にボルト挿通孔若しくはネジ孔を設け、上記段付きワッシャーの段部を前記止め孔に嵌挿するとともに、該段付きワッシャーにボルトを挿通して前記ゴムシートが基板に固定された建設機械の滑り止め構造を提供する。
【００１１】
この構成によれば、ゴムシートに開穿された止め孔へ段付きワッシャーの段部を嵌挿し、該段付きワッシャーにボルトを挿通して基板のボルト挿通孔若しくはネジ孔へ螺着する。斯くして、ゴムシートは段付きワッシャーを介してボルトにて基板へ固定される。
【００１２】
請求項３記載の発明は、上記段付きワッシャーは、上記止め孔に嵌挿される円筒形の段部と、該段部の上部に一体に設けられ且つ前記止め孔よりも大径の鍔部と、ボルト挿通用の孔部とからなる建設機械の滑り止め構造を提供する。
【００１３】
この構成によれば、段付きワッシャーの段部が止め孔へ嵌挿されて、基板のボルト挿通孔若しくはネジ孔に対する位置決めとなり、孔部へボルトを挿通して螺着したときは鍔部がゴムシートを押し付けてゴムシートが基板に固定される。
【発明の効果】
【００１４】
請求項１記載の発明は、ステップや機械上面等の足場となる基板に、鋼板製の基板に鋭利な突起部を設けた従来の構成とは異なり、多数の凸部を有するゴムシートを設けた構成であるため、作業者がステップや機械上面等の足場部分に手やひざ等を付いたとしても怪我をする虞がなく、作業の安全性を確保することができる。また、該ゴムシートは段付きワッシャーを介してボルトにて固定されているので、従来の両面テープや接着剤で貼着する構成に比べて油等が付着しても剥離することがなく、十分な滑り止め効果を有し且つ耐候性及び耐久性に優れている。
【００１５】
請求項２記載の発明は、ゴムシートに開穿された止め孔へ段付きワッシャーの段部を嵌挿してボルトにて基板へ固定するので、請求項１記載の発明の効果に加えて、ゴムシートがずれる虞がなく、確実にゴムシートを基板へ固定することができる。
【００１６】
請求項３記載の発明は、段付きワッシャーは止め孔に嵌挿される段部と、該段部の上部に一体に設けられ且つ前記止め孔よりも大径の鍔部と、ボルト挿通用の孔部とから構成されているので、請求項１または２記載の発明の効果に加えて、段部により位置決めがなされてボルトによる固定が容易且つより一層確実となる。
【発明を実施するための最良の形態】
【００１７】
以下、本発明に係る建設機械の滑り止め構造について、好適な実施例をあげて説明する。ステップや機械上面等の足場となる基板において、十分な滑り止め効果及び耐久性を有し、且つ、作業者が手やひざをついても怪我をすることがない安全性に優れた滑り止め構造を提供するという目的を、ステップや機械上面等の足場となる基板に多数の凸部を有するゴムシートを設けてなる建設機械の滑り止め構造であって、前記ゴムシートは段付きワッシャーを介してボルトにて基板に固定したことにより実現した。
【実施例１】
【００１８】
図１は建設機械の一例として油圧ショベル１０の側面を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。上部旋回体１３の後部にはエンジンや油圧機器（何れも図示せず）が搭載され、ハウスカバー１６にて被蔽されている。更に、上部旋回体１３の後端部にカウンタウエイト１７が装着されている。また、前記ブーム１５の先端にアーム１８が上下回動自在に取り付けられ、該アーム１８の先端にバケット１９が取り付けられている。
【００１９】
図２は上部旋回体１３の平面を示し、説明の都合上、ブーム１５等の作業アタッチメントを取り外した状態を示している。上部旋回体１３には、作業者がハウスカバー１６の上面へ乗降するためのステップや、ハウスカバー１６の上面に乗ってエンジンや油圧機器のメンテナンスを行う際の足場となる基板３０に、滑り止め用のゴムシート２０が設けられている。
【００２０】
図３及び図４は前記基板３０に設けられたゴムシート２０を示し、図５は要部の断面図である。該ゴムシート２０の表面には適宜間隔に多数の凸部２１，２１…が設けられており、該ゴムシート２０は段付きワッシャー２２を介してボルト２３にて基板３０に固定されている。
【００２１】
前記ゴムシート２０の隅部近傍にはボルト２３を挿通するための止め孔２４を開穿し、基板３０には該止め孔２４に対応する位置にボルト挿通孔２５を設け、ボルト挿通孔２５の裏面側には基板３０にナット２６を溶着してある。なお、図示は省略するが、前記ボルト挿通孔２５に代えてネジ孔を設けてもよい。
【００２２】
また、前記段付きワッシャー２２は止め孔２４の直径よりもやや小径で且つ止め孔２４に嵌挿される円筒形の段部２２ａと、該段部２２ａの上部に一体に設けられ且つ前記止め孔２４よりも大径の鍔部２２ｂと、ボルト挿通用の孔部２２ｃとからなり、本実施例では後述するように、ボルト２３をナット２６へ螺着して締め付けたときに、前記段部２２ａの下面が基板３０の表面に当接する程度の高さに形成してある。
【００２３】
而して、前記ゴムシート２０をハウスカバー１６の足場となる基板３０へ固定する際は、ゴムシート２０の隅部近傍に設けられている止め孔２４を基板３０のボルト挿通孔２５へ合致させ、先ず段付きワッシャー２２の段部２２ａをゴムシート２０の止め孔２４へ嵌挿する。該段部２２ａはゴムシート２０の止め孔２４に対してあまりガタがないため、ボルト２３を挿入する位置決めにもなる。また該段部２２ａと一体の鍔部２２ｂは止め孔２４よりも大径であるため、ゴムシート２０の表面に載置された状態となり、ボルト２３の頭部を受けて座金として作用する。
【００２４】
前記ゴムシート２０の止め孔２４に段付きワッシャー２２の段部２２ａを嵌挿した後、段付きワッシャー２２の孔部２２ｃへボルト２５を挿入し、基板２０のボルト挿通孔２５の裏面に固着されているナット２６へ該ボルト２５を螺着する。前述したように、該ボルト２３をナット２６へ螺着して締め付けたときに、前記段部２２ａの下面が基板３０の表面に当接するため、該ボルト２３を必要以上に締めすぎてゴムシート２０を傷損するような虞がない。
【００２５】
斯くして、前記ゴムシート２０が段付きワッシャー２２を介してボルト２３にて確実に基板３０へ固定され、油等が付着しても剥離することがない。また、多数の凸部を有するゴム部材にて滑り止めを構成したので、作業者がステップや機械上面等の足場部分に手やひざ等を付いたとしても怪我をする虞がなく、作業の安全性を確保することができる。
【００２６】
なお、本発明は、本発明の精神を逸脱しない限り種々の改変を為すことができ、そして、本発明が該改変されたものに及ぶことは当然である。
【図面の簡単な説明】
【００２７】
【図１】本発明が適用された油圧ショベルの側面図。
【図２】図１に示す油圧ショベルの上部旋回体の平面図。
【図３】本発明に係るゴムシートの平面図。
【図４】本発明に係るゴムシートの正面図。
【図５】図３のＡ−Ａ矢視図。
【符号の説明】
【００２８】
１０  油圧ショベル
１３  上部旋回体
１６  ハウスカバー
２０  ゴムシート
２１  凸部
２２  段付きワッシャー
２２ａ  段部
２２ｂ  鍔部
２２ｃ  孔部
２３  ボルト
２４  止め孔
２５  ボルト挿通孔
２６  ナット
３０  基板
【図１】
2006183302.tif 000003
【図２】
2006183302.tif 000004
【図３】
2006183302.tif 000005
【図４】
2006183302.tif 000006
【図５】
2006183302.tif 000007